(57)【特許請求の範囲】
【請求項１】
表示装置駆動回路と、表示装置の画素素子に対応する走査線の電位に対して放電リセット操作を行うための放電信号トリガ回路を含む表示装置であって、
前記放電信号トリガ回路は、
駆動電圧源と、
一端が前記駆動電圧源に接続され、他端がそれぞれ放電信号トリガ端及び第２分圧モジュールに接続される第１分圧モジュールと、
放電信号を出力するための放電信号トリガ端と、
一端が前記放電信号トリガ端に接続され、他端が接地される第２分圧モジュールと、を含み、
表示装置オフ信号が受信された際に前記第１分圧モジュールの抵抗値が小さく調整され、
前記第１分圧モジュールは、前記表示装置オフ信号を受信するためのフォトレジスタを含み、
前記フォトレジスタの一端は、前記駆動電圧源に接続され、前記フォトレジスタの他端は、前記放電信号トリガ端に接続され、
前記表示装置駆動回路は、整流器モジュールを含み、
前記整流器モジュールは、
入力端に交流電圧が入力され、第１出力端及び第２出力端から直流電圧が出力される整流器ブリッジと、
前記表示装置オフ信号を生成するためのものであって、正極が前記整流器ブリッジの第１出力端に接続され、負極が接地される発光ダイオードと、
正極が前記整流器ブリッジの第１出力端に接続され、負極が記憶コンデンサの一端に接続される隔離ダイオードと、
他端が前記整流器ブリッジの第２出力端に接続される記憶コンデンサと、を含み、
前記第１分圧モジュールの抵抗値が設定値よりも大きい場合、前記放電信号トリガ端から前記放電信号が出力される表示装置。
【請求項２】
前記第２分圧モジュールは、固定抵抗器である、請求項１に記載の表示装置。
【発明の詳細な説明】
【技術分野】
【０００１】
本発明は、表示技術分野に関し、特に放電信号トリガ回路を含む表示装置に関するものである。
【背景技術】
【０００２】
科学技術の発展に伴い、表示装置の機能に対する人々の要求がますます高くなっている。例えば、一部の表示装置については、Ｄｉｓｃｈａｒｇｅ機能（放電機能）を介してすべての走査信号をあらかじめ設定された電位（例えば、低電位又は高電位など）にプルする必要がある。
【０００３】
従来のＤｉｓｃｈａｒｇｅ機能は、いずれも表示装置の駆動電圧ＶＣＣがオフになったことを検出することでトリガされる。しかし、従来の駆動電圧ＶＣＣは、表示装置の動作が停止すると、電圧が急速に低下する。このとき、Ｄｉｓｃｈａｒｇｅ機能は、すべての走査信号をあらかじめ設定された電位、特にあらかじめ設定された高電位にプルするのに十分なエネルギを提供することができない可能性がある。これにより、従来の表示装置のＤｉｓｃｈａｒｇｅ機能の放電効果は理想的ではなく、表示装置の電源がオンになったときに異常な機能を引き起こす可能性がある。
【０００４】
したがって、従来技術に存在する問題を解決するために、放電信号トリガ回路を含む表示装置を提供する必要がある。
【発明の概要】
【０００５】
本発明の目的は、従来の表示装置の放電機能の放電効果が理想的ではなく、表示装置の電源がオンになったときに異常な機能を引き起こす可能性があるという技術的問題を解決するために、表示装置の画素素子の走査線の電位に対して効果的に放電リセット操作を行うことができる放電信号トリガ回路を含む表示装置を提供することにある。
【０００６】
本発明の実施例によれば、表示装置駆動回路と、表示装置の画素素子に対応する走査線の電位に対して放電リセット操作を行うための放電信号トリガ回路を含む表示装置であって、
前記放電信号トリガ回路は、
駆動電圧源と、
一端が前記駆動電圧源に接続され、他端がそれぞれ放電信号トリガ端及び第２分圧モジュールに接続される第１分圧モジュールと、
放電信号を出力するための放電信号トリガ端と、
一端が前記放電信号トリガ端に接続され、他端が接地される第２分圧モジュールと、を含み、
表示装置オフ信号が受信された際に前記第１分圧モジュールの抵抗値が小さく調整され、
前記第１分圧モジュールは、前記表示装置オフ信号を受信するためのフォトレジスタを含み、
前記フォトレジスタの一端は、前記駆動電圧源に接続され、前記フォトレジスタの他端は、前記放電信号トリガ端に接続され、
前記表示装置駆動回路は、整流器モジュールを含み、
前記整流器モジュールは、
入力端に交流電圧が入力され、第１出力端及び第２出力端から直流電圧が出力される整流器ブリッジと、
前記表示装置オフ信号を生成するためのものであって、正極が前記整流器ブリッジの第１出力端に接続され、負極が接地される発光ダイオードと、
正極が前記整流器ブリッジの第１出力端に接続され、負極が記憶コンデンサの一端に接続される隔離ダイオードと、
他端が前記整流器ブリッジの第２出力端に接続される記憶コンデンサと、を含み、
前記第１分圧モジュールの抵抗値が設定値よりも大きい場合、前記放電信号トリガ端から前記放電信号が出力される表示装置が提供される。
【０００７】
本発明に係る表示装置では、前記第２分圧モジュールは、固定抵抗器である。
【発明の効果】
【０００８】
本発明に係る放電信号トリガ回路を含む表示装置によれば、バックライトオフ信号又は表示装置オフ信号によって第１分圧モジュールの抵抗値が調整されることで、画素素子の走査線の電位に対する安定的な放電リセット操作が図られる。従来の表示装置の放電機能の放電効果は理想的ではなく、表示装置の電源がオンになったときに異常な機能を引き起こす可能性があるという技術問題が解決される。
【図面の簡単な説明】
【０００９】
【図１】本発明に係る放電信号トリガ回路の構造を示す概略図である。
【図２ａ】本発明に係る放電信号トリガ回路の第１好適実施例の構造を示す概略図である。
【図２ｂ】本発明に係る放電信号トリガ回路の第１好適実施例に対応する表示装置駆動回路の整流器モジュールの構造を示す概略図である。
【図３】本発明に係る放電信号トリガ回路の第２好適実施例の構造を示す概略図である。
【発明を実施するための形態】
【００１０】
本発明の実施例の態様をより明確に説明するために、以下、実施例の説明に必要な図面を簡単に紹介する。明らかに、以下の説明における図面は、本発明の実施例に過ぎない。当業者にとって、創造的な労働なしに、これらの図面に基づいて他の図面を得ることができる。
【００１１】
以下、本発明の実施例の図面を参照しながら本発明の実施例の態様を明確かつ完全に説明する。明らかに、記載した実施例は、本発明の実施例の一部に過ぎず、すべての実施例ではない。本発明の実施例に基づいて、創造的な努力なしに当業者によって得られる他のすべての実施例は、いずれも本発明の保護範囲に属するものである。
【００１２】
図１を参照して、図１は、本発明に係る放電信号トリガ回路の構造を示す概略図である。当該放電信号トリガ回路１０は、駆動電圧源１１と、第１分圧モジュール１２と、放電信号トリガ端１３と、第２分圧モジュール１４と、を含む。
【００１３】
駆動電圧源１１は、表示装置の駆動電圧を生成するためのものである。第１分圧モジュール１２は、一端が駆動電圧源１１に接続され、他端がそれぞれ放電信号トリガ端１３及び第２分圧モジュール１４に接続される。放電信号トリガ端１３は、放電信号を出力するためのものである。第２分圧モジュール１４は、一端が放電信号トリガ端１３に接続され、他端が接地される。放電信号トリガ端１３から放電信号が出力されるように、バックライトオフ信号又は表示装置オフ信号によって第１分圧モジュール１２の抵抗値が調整される。第２分圧モジュール１４は、固定抵抗器１４１であることが好ましい。
【００１４】
ここで、バックライトオフ信号とは、バックライトをオフにするための電気信号を指し、通常、駆動電圧オフ信号よりもわずかに早くトリガされる。そのため、放電信号がバックライトオフ信号によってトリガされることで、表示装置駆動回路は走査線の電位に対して放電リセット操作を行うのに十分な時間を持ち、走査線の電位に行われる放電リセット操作の安定性が向上する。
【００１５】
ここで、表示装置オフ信号とは、後述の発光ダイオードの発光による光信号を指し、通常、駆動電圧オフ信号よりもわずかに早くトリガされる。そのため、放電信号が表示装置オフ信号によってトリガされることで、表示装置駆動回路も走査線の電位に対して放電リセット操作を行うのに十分な時間を持ち、走査線の電位に行われる放電リセット操作の安定性が向上する。
【００１６】
以下、本発明に係る放電信号トリガ回路の具体的な動作原理を二つの好適実施例によって説明する。
【００１７】
図２ａ及び図２ｂを参照して、図２ａは、本発明に係る放電信号トリガ回路の第１好適実施例の構造を示す概略図である。図２ｂは、本発明に係る放電信号トリガ回路の第１好適実施例に対応する表示装置駆動回路の整流器モジュールの構造を示す概略図である。
【００１８】
表示装置オフ信号によって第１分圧モジュールの抵抗値が調整される場合、第１分圧モジュールは、表示装置オフ信号を受信するためのフォトレジスタ２２１を含む。フォトレジスタ２２１の一端は、駆動電圧源ＶＤＤ１に接続され、フォトレジスタ２２１の他端は、放電信号トリガ端ＤＩＳ１に接続される。
【００１９】
放電信号トリガ回路２０に対応する表示装置駆動回路は、整流器モジュール２５を含む。当該整流器モジュール２５は、整流器ブリッジ２５１と、発光ダイオード２５２と、隔離ダイオード２５３と、記憶コンデンサ２５４と、を含む。
【００２０】
整流器ブリッジ２５１の入力端に交流電圧が入力され、整流器ブリッジ２５１の第１出力端及び第２出力端から直流電圧が出力される。発光ダイオード２５２の正極は、整流器ブリッジ２５１の第１出力端に接続され、発光ダイオード２５２の負極は、接地される。発光ダイオード２５２は、表示装置オフ信号を生成するためのものである。隔離ダイオード２５３の正極は、整流器ブリッジ２５１の第１出力端に接続され、隔離ダイオード２５３の負極は、記憶コンデンサ２５４の一端に接続される。記憶コンデンサ２５４の他端は、整流器ブリッジ２５１の第２出力端に接続される。
【００２１】
本好適実施例の放電信号トリガ回路２０が使用される場合、表示装置駆動回路が正常に動作するとき、発光ダイオード２５２が発光し、放電信号トリガ回路２０の第１分圧モジュールのフォトレジスタ２２１は光の照射を受けることにより、抵抗値が小さくなり、又はゼロに近づく。第１分圧モジュールの抵抗値が設定値以下であるため、放電信号トリガ端ＤＩＳ１から比較的高い電圧が出力され、放電信号がトリガされない。
【００２２】
表示装置駆動回路２０がオフになると、整流器モジュール２５の整流器ブリッジ２５１の入力端に交流電圧の入力が停止され、整流器ブリッジ２５１の出力端から直流電圧の出力が停止される。このとき、発光ダイオード２５２は直ちに発光を停止するが、記憶コンデンサ２５４の電荷は、一時的にオフにならないように駆動電圧ＶＣＣを維持することができる。このとき、放電信号トリガ回路２０の第１分圧モジュールのフォトレジスタ２２１は、光の照射を受けないため、抵抗値が大きくなることにより、第１分圧モジュールの抵抗値が設定値よりも大きくなり、放電信号トリガ端ＤＩＳ１から比較的小さい電圧信号が出力され、放電信号がトリガされる。放電信号がトリガされると、駆動電圧ＶＣＣが低下しないため、画素素子の走査線の電位に対する放電リセット操作の安定性を保証することができる。
【００２３】
これによれば、本好適実施例の放電信号トリガ回路２０の放電信号トリガプロセスが終了する。
【００２４】
本好適実施例の放電信号トリガ回路では、表示装置オフ信号によって第１分圧モジュールの抵抗値が調整されることにより、画素素子の走査線の電位に対する安定した放電リセット操作が図られる。
【００２５】
図３を参照して、図３は、本発明に係る放電信号トリガ回路の第２好適実施例の構造を示す概略図である。
【００２６】
バックライトオフ信号によって第１分圧モジュールの抵抗値が調整される場合、第１分圧モジュールは、第１抵抗器３２１及び第１スイッチ管３２２を含む。第１抵抗器３２１の一端は、駆動電圧源ＶＤＤ２に接続され、第１抵抗器３２１の他端は、第１スイッチ管３２２の入力端に接続される。第１スイッチ管３２２の出力端は、放電信号トリガ端ＤＩＳ２に接続され、第１スイッチ管３２２の制御端にバックライトオフ信号ＢＬＯＮが入力される。
【００２７】
本好適実施例の放電信号トリガ回路３０が使用される場合、表示装置のバックライトモジュールが正常に動作するとき、バックライトオフ信号ＢＬＯＮにハイレベル信号が入力され、第１スイッチ管３２２がオンになり、放電信号トリガ回路３０の第１分圧モジュールの抵抗値が比較的小さくなる。第１分圧モジュールの抵抗値が設定値以下であるため、放電信号トリガ端ＤＩＳ２から比較的高い電圧が出力され、放電信号がトリガされない。
【００２８】
表示装置のバックライトモジュールがオフになると、バックライトオフ信号ＢＬＯＮにローレベル信号が入力され、第１スイッチ管３２２がオフになり、放電信号トリガ回路３０の第１分圧モジュールの抵抗値が比較的大きくなる。第１分圧モジュールの抵抗値が設定値よりも大きく、放電信号トリガ端ＤＩＳ２から比較的小さい電圧信号が出力されると、放電信号がトリガされる。バックライトオフ信号がトリガされると、駆動電圧ＶＣＣが低下しないため、画素素子の走査線の電位に対する放電リセット操作の安定性を保証することができる。
【００２９】
これによって、本好適実施例の放電信号トリガ回路３０の放電信号トリガプロセスが終了する。
【００３０】
本好適実施例の放電信号トリガ回路では、バックライトオフ信号によって第１分圧モジュールの抵抗値が調整されることにより、画素素子の走査線の電位に対する安定した放電リセット操作が図られる。
【００３１】
本発明では、表示装置の画素素子に対応する走査線の電位に対して放電リセット操作を行う放電信号トリガ回路を含む表示装置が提供される。
【００３２】
当該放電信号トリガ回路は、駆動電圧源と、第１分圧モジュールと、放電信号トリガ端と、第２分圧モジュールと、を含む。
【００３３】
駆動電圧源は、表示装置の駆動電圧を生成するためのものである。第１分圧モジュールは、一端が駆動電圧源に接続され、他端がそれぞれ放電信号トリガ端及び第２分圧モジュールに接続される。放電信号トリガ端は、放電信号を出力するためのものである。第２分圧モジュールは、一端が放電信号トリガ端に接続され、他端が接地される。放電信号トリガ端から放電信号が出力されるように、バックライトオフ信号又は表示装置オフ信号によって第１分圧モジュールの抵抗値が調整される。
【００３４】
バックライトオフ信号によって第１分圧モジュールの抵抗値が調整される場合、第１分圧モジュールは、第１抵抗器及び第１スイッチ管を含むことが好ましい。第１抵抗器の一端は、駆動電圧源に接続され、第１抵抗器の他端は、第１スイッチ管の入力端に接続される。第１スイッチ管の出力端は、放電信号トリガ端に接続され、第１スイッチ管の制御端にバックライトオフ信号が入力される。
【００３５】
表示装置オフ信号によって第１分圧モジュールの抵抗値が調整される場合、第１分圧モジュールは、表示装置オフ信号を受信するためのフォトレジスタを含むことが好ましい。フォトレジスタの一端は、駆動電圧源に接続され、フォトレジスタの他端は、放電信号トリガ端に接続される。
【００３６】
放電信号トリガ回路に対応する表示装置駆動回路は、整流器モジュールを含むことが好ましい。当該整流器モジュールは、整流器ブリッジと、発光ダイオードと、隔離ダイオードと、記憶コンデンサと、を含む。整流器ブリッジの入力端に交流電圧が入力され、整流器ブリッジの第１出力端及び第２出力端から直流電圧が出力される。発光ダイオードの正極は整流器ブリッジの第１出力端に接続され、発光ダイオードの負極は接地される。発光ダイオードは、表示装置オフ信号を生成するためのものである。隔離ダイオードの正極は、整流器ブリッジの第１出力端に接続され、隔離ダイオードの負極は、記憶コンデンサの一端に接続される。記憶コンデンサの他端は、整流器ブリッジの第２出力端に接続される。
【００３７】
本発明に係る放電信号トリガ回路を含む表示装置によれば、バックライトオフ信号又は表示装置オフ信号によって第１分圧モジュールの抵抗値が調整されることにより、画素素子の走査線の電位に対する安定した放電リセット操作図られる。従来の表示装置の放電機能の放電効果は理想的ではなく、表示装置の電源がオンになったときに異常な機能を引き起こす可能性があるという技術問題が解決される。
【００３８】
以上、本発明を好適実施例とともに上記のように開示したが、上記好適実施例は本発明を限定するものではなく、当業者は本発明の精神及び範囲から逸脱することなく様々な変更及び修正を行うことができる。したがって、本発明の保護範囲は、特許請求の範囲によって定義される範囲に準ずる。
【図１】
0006942237.tif 000002
【図２ａ】
0006942237.tif 000003
【図２ｂ】
0006942237.tif 000004
【図３】
0006942237.tif 000005